(57)【特許請求の範囲】
【請求項１】
画像データを蓄積するデータ蓄積手段から画像データを読み出して、読み出した画像データをメモリに格納し、メモリに格納した画像データについて再生処理を行う複数のデータ再生手段と、
各データ再生手段のそれぞれに一定周期のタイムスロットを割り当て、それぞれのタイムスロットのタイミングで上記データ蓄積手段から画像データを読み出して上記メモリに格納するように各データ再生手段を制御する制御手段とを備え、
上記制御手段は、高速再生を行う一のデータ再生手段について複数のタイムスロットを割り当て、当該複数のタイムスロットを用いて画像データを読み出し、読み出した画像データをメモリに格納するように上記一のデータ再生手段を制御し、
上記一のデータ再生手段は、上記メモリに格納した上記画像データについて、２フレーム分の画像データから異なる２フィールドを用いて１フレームの画像を生成する再生処理を行う
ことを特徴とするデータ再生装置。
【請求項２】
上記一のデータ再生手段は、上記メモリに格納した画像データについて、ｎフレームの第１フィールドと（ｎ＋１）フレームの第２フィールドとを合成して１フレームの画像を生成する再生処理を行うことを特徴とする請求項１記載のデータ再生装置。
【請求項３】
上記制御手段は、Ｎ倍速での高速再生を行う一のデータ再生手段について、Ｎ個のタイムスロットを割り当てることを特徴とする請求項１記載のデータ再生装置。
【請求項４】
上記制御手段は、各データ再生手段の使用状態を検出し、高速再生を行う一のデータ再生手段に、使用していない他のデータ再生手段についてのタイムスロットを割り当てることを特徴とする請求項１記載のデータ再生装置。
【請求項５】
上記画像データを蓄積する蓄積手段を更に備える請求項１記載のデータ再生装置。
【請求項６】
上記再生手段に読み出された画像データを格納するメモリを更に備える請求項１記載のデータ再生装置。
【請求項７】
一定周期の自タイムスロットがそれぞれ割り当てられた複数のデータ再生手段により、画像データが蓄積された記録媒体から自タイムスロットを用いて上記画像データを読み出し、読み出した画像データを一旦記憶し、記憶した画像データについて再生処理を行うデータ再生方法において、
高速再生を行う一のデータ再生手段について、複数のタイムスロットを割り当て、
当該一のデータ再生手段は、割り当てられた上記複数のタイムスロットを用いて画像データを読み出し、読み出した画像データを記憶し、記憶した上記画像データについて、２フレーム分の画像データから異なる２フィールドを用いて１フレームの画像を生成する
ことを特徴とするデータ再生方法。
【発明の詳細な説明】
【０００１】
【発明の属する技術分野】
本発明は、データ再生装置及び方法に関し、詳しくは放送局等のＡＶサーバシステム等に好適に用いられるデータ再生装置及び方法に関する。
【０００２】
【従来の技術】
ＡＶ（オーディオビデオ）データの格納、再生、編集、配信等を行うＡＶサーバシステムは、ＡＶデータが格納されるハードディスクアレイ等からなるデータ記憶装置，このデータ記憶装置からＡＶデータの入出力を行う複数のＡＶデータ入出力インタフェース（以下、チャネルという。），システム全体の制御を行うシステムコントローラ等により構成される。各チャネルは、上記データ記憶装置からＡＶデータを出力する際、あるいはデータ記憶装置に対するＡＶデータの入力を行う際のタイミング調整を行うためのメモリ等を備えている。
【０００３】
そして、ＡＶサーバシステムにおいては、システムコントローラがこれら各チャネルを一定周期で均等に時分割使用するように制御することで、多チャネルによる同時並行処理を実現していた。このようなＡＶサーバシステムでは、各チャネルに割り当てられる割当て時間（以下、タイムスロットという。）が周期的であり、かつ固定的であった。そして、このタイムスロットについては、通常速度の再生に必要な分のデータを各チャネルのメモリに読み込むことができる長さを確保した上で、各チャネルの待ち時間を短くする必要から、出来るだけ短い長さに設定するのが一般的である。
【０００４】
放送局等の業務に使用されるＡＶサーバシステムは、ＡＶデータの再生開始時において、その応答性の良さが求められる。また、ＡＶデータの編集作業時においては、高速再生や逆方向再生などの変速再生を行うことから、通常再生から高速再生に加速する際、高速再生から通常再生に減速する際、順方向再生と逆方向再生との方向転換を行う際の応答性や操作性の良さが要求される。具体的には、これら変速再生の実行命令を送出した場合に、指定された速度／方向に忠実でコマ落ちのない滑らかな再生に速やかに移行することが求められる。
【０００５】
【発明が解決しようとする課題】
ところで、従来のＡＶサーバシステムにおいては、高速再生時に、フレーム単位でデータを間引いて出力する（以下、この再生方法を「フレーム間引き方法」という。）ことが一般的である。例えば、通常の１倍速で３０フレーム分の画像が進む時間において、２倍速再生では６０フレーム分の画像が進むことになる。このとき、上述のフレーム間引き方法による２倍速再生では、例えばフレーム１，フレーム３，フレーム５・・・フレーム５９の要領で、１フレームおきに合計３０のフレームが出力されることになる。
【０００６】
このフレーム間引き方法による高速再生を行った場合、その再生画像はフレーム毎に完結しているため見やすいものであるが、一方で、フレーム単位で情報を捨ててしまっており、言わば「見えないフレーム」が生じることになる。
【０００７】
ここで、図８に、フレーム間引き方法を用いた２倍速再生時における出力データについて示す。この図８から明らかなように、従来のフレーム間引き方法を用いた再生方法では、２倍速再生時において、例えばフレーム１，フレーム３，フレーム５，フレーム７・・・といった具合に、フレームを単位として１フレームおきにデータを間引き、１フレーム間隔でデータを出力していることがわかる。このため、例えば編集でフラッシュの焚かれた瞬間の画像を探す場合であって、当該画像がフレーム２やフレーム４等の出力されない（間引かれた）フレームに存在するような場合には、この画像がモニタ等に表示されないため、２倍速再生での検索が非常に困難となる。すなわち、フレーム間引き方法によれば、１フレームのみに存在する画像がモニタ等に表示される確率が１／２であるため、編集等における作業効率が悪い、という問題があった。
【０００８】
また、図９に、フレーム間引き方法を用いた４倍速再生時における出力データについて示す。この図９から明らかなように、従来のフレーム間引き方法を用いた再生方法では、４倍速再生時において、例えばフレーム１，フレーム５，フレーム９・・・といった具合に、フレームを単位として１フレーム分のデータを出力しては３フレーム分のデータを出力しない（間引く）処理を繰り返すことにより、４フレーム毎に１フレーム分のデータを出力する。このため、編集時において上述のフラッシュの焚かれた瞬間の画像を探す場合であって、当該画像がフレーム２，３，４、或いはフレーム６，７，等の出力されない（間引かれた）フレームに存在するような場合には、この画像がモニタ等に表示されないため、４倍速再生での検索が非常に困難となる。すなわち、この場合には、当該画像がモニタ等に表示される確率は１／４であるため、編集等における作業効率が悪い、という問題があった。
【０００９】
このように、従来のＡＶサーバシステムで高速再生により画像の編集を行う場合には、１つのフレームにのみ瞬間的に記録されている画像を探すような場合に、その画像がモニタ上に表示されない等の問題があった。従って、ＡＶサーバシステムにおいては、編集の効率向上等のため、高速再生時において捨てるフレーム数、すなわち見えないフレームの数を減少させることが求められていた。
【００１０】
本発明は、このような実情に鑑みて提案されたものであって、高速再生を行う際に、表示するフレーム数を実質的に増加させることにより、検索性の向上を実現したデータ再生装置及び方法を提供することを目的とする。
【００１１】
【課題を解決するための手段】
本発明に係るデータ再生装置は、上記課題を解決するため、画像データを蓄積するデータ蓄積手段から画像データを読み出して、読み出した画像データをメモリに格納し、メモリに格納した画像データについて再生処理を行う複数のデータ再生手段と、各データ再生手段のそれぞれに一定周期のタイムスロットを割り当て、それぞれのタイムスロットのタイミングで上記データ蓄積手段から画像データを読み出して上記メモリに格納するように各データ再生手段を制御する制御手段とを備え、上記制御手段は、高速再生を行う一のデータ再生手段について複数のタイムスロットを割り当て、当該複数のタイムスロットを用いて画像データを読み出し、読み出した画像データをメモリに格納するように上記一のデータ再生手段を制御し、上記一のデータ再生手段は、上記メモリに格納した上記画像データについて、２フレーム分の画像データから異なる２フィールドを用いて１フレームの画像を生成する再生処理を行う。
【００１４】
データ再生装置においては、高速再生を行う一のデータ再生手段に対して制御信号から複数のタイムスロットが割り当てられ、当該一のデータ再生手段が、割り当てられた複数のタイムスロットを用いて画像データを読み出し、読み出した画像データを一旦記憶し、記憶した画像データについて、２フレーム分の画像データから異なる２フィールドを用いて１フレームの画像を生成することにより、間引かれるフレーム数が実質的に減少する。
【００１７】
また、本発明に係るデータ再生方法は、上記課題を解決するため、一定周期の自タイムスロットがそれぞれ割り当てられた複数のデータ再生手段により、画像データが蓄積された記録媒体から自タイムスロットを用いて上記画像データを読み出し、読み出した画像データを一旦記憶し、記憶した画像データについて再生処理を行うデータ再生方法において、高速再生を行う一のデータ再生手段について、複数のタイムスロットを割り当て、当該一のデータ再生手段は、割り当てられた上記複数のタイムスロットを用いて画像データを読み出し、読み出した画像データを記憶し、記憶した上記画像データについて、２フレーム分の画像データから異なる２フィールドを用いて１フレームの画像を生成する。
【００１８】
データ再生方法においては、高速再生を行う一のデータ再生手段に複数のタイムスロットが割り当てられ、当該一のデータ再生手段が、割り当てられた複数のタイムスロットを用いて画像データを読み出し、読み出した画像データを一旦記憶し、記憶した画像データについて、２フレーム分の画像データから異なる２フィールドを用いて１フレームの画像を生成することにより、間引かれるフレーム数が実質的に減少する。
【００１９】
【発明の実施の形態】
本発明の実施の形態につき図面を参照しながら詳細に説明する。本発明を適用した図１に示すＡＶサーバシステム１は、ＡＶ（オーディオビデオ）データの格納、再生、編集、配信等を行うものであり、ＡＶデータが格納されるディスク装置２と、このディスク装置２にアクセスしてＡＶデータの入出力を行う複数のＡＶデータ入出力インタフェース３（３ａ，３ｂ・・・３ｎ）と、システム全体の制御を行うシステムコントローラ４とを備えている。
【００２０】
ディスク装置２は、ハードディスクドライブ（ＨＤＤ）を複数並べたＲＡＩＤ（Redundant Arrays of Inexpensive Disks）方式による、いわゆるマルチチャネルタイプのものであり、各ハードディスクの所定エリアに対してＡＶデータの読み出し又は書込みが各チャネル毎に独立して同時にできるようになっている。この実施の形態では、種々のＡＶデータがファイル形式で上記ハードディスクの所定エリアに格納される。
【００２１】
ＡＶデータ入出力インタフェース３は、図１に示すように、それぞれプロセッサ５とメモリ６とを備えて構成される。ここで、プロセッサ５は、システムコントローラ４により割り当てられるタイムスロットに基づいて、ディスク装置２の各ハードディスクの所定エリアに対するアクセスを行う。また、プロセッサ５は、システムコントローラ４により割り当てられるタイムスロットに基づいてメモリ６に対するデータの格納／読み出しを制御することにより、ディスク装置２からＡＶデータを出力する際、あるいはディスク装置２に対するＡＶデータの入力を行う際のタイミング調整を行う。メモリ６は、図２に示すように、３つのバンク（Ｂａｎｋ＃Ａ，Ｂａｎｋ＃Ｂ，Ｂａｎｋ＃Ｃ）を備えている。以下、説明の便宜のため、各ＡＶデータ入出力インタフェース３ａ，３ｂ・・・３ｎについて、それぞれチャネル（ｃｈ）１，チャネル２・・・チャネルｎと呼ぶ。
【００２２】
このＡＶサーバシステム１では、ｎ個のチャネルによりＡＶデータの記録又は再生の処理を同時にｎチャネルで行えるようにするため、システムコントローラ４が各チャネルに対してディスク装置２にアクセスできる時間（タイムスロット）を時分割で割り当てている。具体的には、システムコントローラ４は、図２に示すように、１周期の期間を固定周期とし、さらにこの１周期の期間をｎ等分して、分割した各期間をチャネル１〜チャネルｎの順番にタイムスロットとして割り当てている。したがって、１周期の期間で一つのチャネルにタイムスロットが割り当てられるのは、ｎ回に１回であり、１周期の１／ｎの時間ということになる。
【００２３】
ここで、一つのチャネルに割り当てられるタイムスロットの長さは、次にタイムスロットが来るまでの１周期（以下、１タイムスロット周期という。）の間に再生を続けられる分のＡＶデータを、ディスク装置２から該チャネルのメモリ６の一つのバンクに格納できるだけの時間となっている。例えば、チャネル１について考えてみると、チャネル１のタイムスロットが来たときにバンクＢに１タイムスロット周期分のデータを格納し、チャネル２のタイムスロットになると同時にこのバンクＢに格納されたデータを再生するようにする。そして、図２に示すように、次の周期のチャネル１のタイムスロットが来たときに、バンクＡにデータを格納し、この格納が終了するまではバンクＢのデータ再生が続けられることになる。そして、チャネル２のタイムスロットになると、このバンクＢのデータ再生が終了し、同時にバンクＡに格納されたデータを再生する。
【００２４】
このような処理を行うことで、ＡＶサーバシステム１においては、各チャネルにおいて自分用のタイムスロット（以下、自タイムスロットという。）が来るまでの間、そのメモリ６のいずれか１つのバンクからＡＶデータを出力し続けるので、途切れることなく再生を続けることが可能となる。
【００２５】
一方、入力されたデータを記録するときには、上述とは逆の処理により、１タイムスロット周期の間にメモリ６のいずれかのバンクにＡＶデータを格納し、自タイムスロットが来た時点でまとめてディスク装置２に書き込む処理を行う。よって、１タイムスロット周期の長さは、通常速度の再生に必要な分のＡＶデータを読み出してメモリ６の１つのバンクに格納することが可能であり、かつ出来るだけ短い時間となるように設定される。
【００２６】
システムコントローラ４は、外部ブロックから供給される入出力制御信号に基づいて、各チャネルのプロセッサ５を制御する。この入出力制御信号には、各チャネルについてのデータの記録、再生、停止、高速再生、逆方向再生等のコマンドや、高速再生時における再生倍率等についての付加情報が含まれる。
【００２７】
各チャネルのプロセッサ５は、システムコントローラ４の制御に基づき、ＡＶデータの記録／再生の処理を以下のように行う。プロセッサ５は、データを記録するときには、外部ブロックから供給されるＡＶデータを、ディスク装置２のハードディスクに記録するデータ形式に変換処理し、必要に応じて圧縮処理を行った後に、当該処理後のデータをメモリ６の各バンクに順次格納し、自タイムスロットが来た時点でそのデータをディスク装置２に送信して記録する。圧縮処理は、例えばフレーム間の相関を利用したＭＰＥＧ方式や、フレーム内圧縮であるＤＶ方式などが考えられる。もちろん、入力されたデータを圧縮せず、非圧縮のまま記録してもよい。
【００２８】
一方、記録されたデータを再生するときには、プロセッサ５は、自タイムスロットが来た時点でディスク装置２から１タイムスロット周期分のデータを読み出してメモリ６のいずれかのバンクに格納し、次の自タイムスロットが来たときに、そのデータについて必要に応じて伸張処理を行い、さらにＡＶデータの形式に変換して外部ブロックに出力するとともに、上述のように、ディスク装置２から１タイムスロット周期分のデータを読み出してメモリ６の他のバンクに格納する。
【００２９】
さらに、このＡＶサーバシステム１におけるシステムコントローラ４は、供給された入出力制御信号に基づいて、いずれかのチャネルが２倍速，４倍速といった高速再生モードに移行するときに、使用されていない空きチャネルについての検出を行い、この空きチャネルについてのタイムスロットを上述の高速再生を行うチャネルに割り当てる処理を行う。具体的には、システムコントローラ４は、いずれかのチャネルがＮ倍速の高速再生を行う場合には、当該チャネルにＮ個のタイムスロットを割り当てるようにする。
【００３０】
このような制御を行うことにより、ＡＶサーバシステム１においては、ディスク装置２からハードディスク上の連続した領域を読み出すことが可能となるので、飛び飛びのエリアをアクセスすることから生じる読み出し不足の発生がなくなり、指定速度に則したコマ落ちのない滑らかな再生が可能となる。
【００３１】
例えば、チャネル１で２倍速再生を行う場合について考えてみると、システムコントローラ４は、使用されていない空きチャネルについての検出を行い、図３及び図４に示すように、空きチャネルであるチャネル５についてのタイムスロットをチャネル１のタイムスロットとして割り当てる。これにより、チャネル１は、自タイムスロットと合わせて２タイムスロット分のデータをディスク装置２から読み出してメモリ６の２つのバンクに格納し、各バンクから出力する際に再生倍率（この場合は２倍速）に従ったフィールド単位での間引きを行い、２フレーム分のデータから異なる２フィールドを用いて１フレームの画像を生成することによって、指定速度での円滑な画像再生を実現する。
【００３２】
具体的には、チャネル１のプロセッサ５は、メモリ６に格納したデータについて、ｎフレームの第２フィールドと（ｎ＋１）フレームの第１フィールドとを間引き、上記ｎフレームの第１フィールドと上記（ｎ＋１）フレームの第２フィールドとを合成して１フレームの画像として出力する処理を繰り返す。
【００３３】
図５に、この２倍速再生を行うときに出力されるデータについて示す。ここで、図５においては、（ａ）に本発明の再生方法を適用した場合について、（ｂ）に上述したフレーム間引き方法を適用した場合について、それぞれ示している。
【００３４】
フレーム間引き方法を用いた場合は、２倍速再生を行うときにおいて、例えばフレーム１，フレーム３，フレーム５，フレーム７・・・といった具合に、フレームを単位として１フレームおきにデータを間引き、１フレーム間隔でデータを出力していたため、上述のように、１つのフレームにのみ瞬間的に記録された画像がモニタ等に表示される確率は１／２となる。
【００３５】
これに対して、このＡＶサーバシステム１によれば、図５（ａ）に示すように、２倍速再生を行うときにおいて、例えばフレーム１の第１フィールドとフレーム２の第２フィールドとを合成した画像，フレーム３の第１フィールドとフレーム４の第２フィールドとを合成した画像，フレーム５の第１フィールドとフレーム６の第２フィールドとを合成した画像・・・といった具合に、全てのフレームについての画像が出力されることになる。従って、ＡＶサーバシステム１によれば、編集が行われるときに、上述のフラッシュの焚かれた瞬間のように、１つのフレームに瞬間的に記録された画像を探す場合には、当該画像がいかなるフレームに存在しようとも、この画像がモニタ等に表示されることから、検索が時間的にも労力的にも非常に楽になり、編集作業の効率が大幅に向上する。
【００３６】
図６に、４倍速再生が行われるときの出力データについて示す。ここで、図６においては、（ａ）に本発明の再生方法を適用した場合について、（ｂ）に上述したフレーム間引き方法を適用した場合について、それぞれ示している。
【００３７】
従来の再生方法では、４倍速再生時において、例えばフレーム１，フレーム５，フレーム９・・・といった具合に、フレームを単位として１フレーム分のデータを出力しては３フレーム分のデータを出力しない（間引く）処理を繰り返すことにより、４フレーム毎に１フレーム分のデータを出力していたため、上述のように、１つのフレームにのみ瞬間的に記録された画像がモニタ等に表示される確率は１／４となる。
【００３８】
これに対して、このＡＶサーバシステム１によれば、図６（ａ）に示すように、４倍速再生が行われるときには、例えばフレーム１の第１フィールドとフレーム２の第２フィールドとを合成した画像，フレーム５の第１フィールドとフレーム６の第２フィールドとを合成した画像，フレーム９の第１フィールドとフレーム１０の第２フィールドとを合成した画像・・・といった具合に、より多くのフレームについての画像が出力されることになる。従って、ＡＶサーバシステム１によれば、編集するときに、上述のフラッシュの焚かれた瞬間のように、１つのフレームに瞬間的に記録された画像を探す場合には、当該画像がモニタ等に表示される確率が高くなる（この場合は１／２の確率となる。）ことから、その検索効率が大幅に向上する。
【００３９】
なお、４倍速再生を行うときの出力データについては、上述の例に限らず、例えばフレーム１の第１フィールドとフレーム３の第２フィールドとを合成した画像，フレーム５の第１フィールドとフレーム７の第２フィールドとを合成した画像・・・といった処理を行っても良いし、さらには、フレーム１の第１フィールドとフレーム４の第２フィールドとを合成した画像，フレーム５の第１フィールドとフレーム８の第２フィールドとを合成した画像・・・といった処理を行うこととしても良い。もっとも、合成されるフレーム相互同士については、一般に、フレームが離れるほど相互間のずれが大きくなり、モニタ等に表示された場合に見辛くなることから、この実施の形態では上述のように近接するフレームの異なるフィールド同士を合成することとしている。
【００４０】
次に、ＡＶサーバシステム１において、図１に示す外部ブロックとしての編集装置１０を用いて高速再生を行うときの制御の一例について、図７のフローチャートを参照して説明する。なお、編集装置１０は、任意のチャネルを選択して、選択したチャネルのプロセッサ５及びシステムコントローラ４と信号の送受信を行うとともに、選択したチャネルから供給されるＡＶデータを表示するようになっている。
【００４１】
ステップＳ１において、いずれかのチャネルのプロセッサ５は、所定のファイルを開く旨のオープン命令を編集装置１０から受信する。このオープン命令とは、所定のファイルに対するアクセス権を獲得するための命令である。これは、オープン命令対象のファイルが、例えば現在記録中であって刻々とその内容が変更されているような場合に、そのファイルに対するアクセスを禁止したり許可したりするためのものである。
【００４２】
次のステップＳ２において、このオープン命令を受信したチャネルのプロセッサ５は、当該ファイルがディスク装置２のどの領域に保存されているかの情報を取得するためのコマンドをシステムコントローラ４に対して発する。
【００４３】
システムコントローラ４は、ステップＳ３で、当該ファイルが格納されているディスク装置２の領域をプロセッサ５に対して通知する。この通知を受けたプロセッサ５は、次のステップＳ４で、再生コマンドを発しても良い旨の許可命令を編集装置１０に対して送信する。すなわち、上述したオープン命令に対する許可通知を送信する。この許可命令により、オープン命令によって指定されたファイル（１つのファイルでも複数のファイルでもよい。）に対するアクセスが許可されることになる。
【００４４】
この許可命令を受信した編集装置１０は、続くステップＳ５において、ファイルを再生する速度（倍率）について指定するコマンドをプロセッサ５に対して送信する。このコマンドは、プロセッサ５を介してシステムコントローラ４で受信される。
【００４５】
この再生速度指定コマンドを受信したシステムコントローラ４は、次のステップＳ６で、使用するチャネルに対して、空いているタイムスロットを検出してこれを割り当てる。これにより、当該チャネルに対して、１周期につき複数個のタイムスロットが割り当てられることになる。具体的には、このステップＳ６で、システムコントローラ４は、上述のようにＮ倍速再生を行う場合に当該チャネルに１周期にＮ個のタイムスロットを割り当てるようにする。
【００４６】
次のステップＳ７で、当該チャネルのプロセッサ５は、割り当てられたタイムスロットに従って、ステップＳ３で通知されたディスク装置２の格納領域から当該ファイルのＡＶデータを読み出してメモリ６の所定バンクにデータを格納する。そして、当該チャネルのプロセッサ５は、１つのバンクにデータが格納し終わると、続くステップＳ８で、そのデータを再生処理して編集装置１０に対して出力する。このとき、プロセッサ５は、メモリ６に格納したデータについて、再生倍率に従ったフィールド単位での間引きを行い、２フレーム分のデータから異なる２フィールドを合成して１フレームの画像を生成し、これを編集装置１０に対して出力する。すなわち、ファイルを再生する速度が２倍速のとき、プロセッサ５は、上述のようにｎフレームの第２フィールドと（ｎ＋１）フレームの第１フィールドとを間引き、上記ｎフレームの第１フィールドと上記（ｎ＋１）フレームの第２フィールドとを合成して１フレームの画像として編集装置１０に対して出力する処理を繰り返す。４倍速やそれ以上の倍速再生のときも同様な処理で、２フレーム分のデータから異なるフィールドを合成して１フレームを出力する処理を繰り返す。
【００４７】
これにより、図５及び図６で説明したように、より多くのフレームについての画像が編集装置１０に表示されることとなるため、編集作業における検索効率が大幅に向上する。
【００４８】
以上のように、ＡＶサーバシステム１によれば、システムコントローラ４がＮ倍速による高速再生を行う一のチャネルについて複数のタイムスロットを割り当てることにより、当該一のチャネルは、ディスク装置２から読み出せるデータの量が増加し、高速再生で再生処理されるときに、ディスク装置２のハードディスクから連続した領域を読み出して処理することが可能となる。さらに、当該一のチャネルは、読み出したデータを出力するときに再生倍率に従ったフィールド単位での間引きを行い、２フレーム分のデータから異なる２フィールドを合成して１フレームの画像として出力する処理を繰り返すので、モニタ等に表示されるフレーム数が実質数に増加し、数フレーム程度で瞬間的に記録された物体、速い速度で横切った物体についての画像等を検索する場合に、その作業効率が大幅に向上する。
【００４９】
なお、この実施の形態ではディスク装置２をＨＤＤを用いて構成することとしたが、本発明はこれに限定されるものではなく、ノンリニアアクセス（ランダムアクセス）可能な記録媒体であればよい。従って、ディスク装置２は、例えばＤＶＤ（Digital Video Disk）やＭＯ（Magneto-Optical disk）などの光ディスク、光磁気ディスク等を用いて構成してもよい。
【００５０】
また、この実施の形態ではタイムスロットの１周期の分割数をチャネルの数と同じとしているが、本発明はこれに限定されるものではなく、タイムスロットの１周期の分割数をチャネルの数より多くして、いわゆる予備のタイムスロットを設けることとしてもよい。これにより、全てのチャネルが使用されている場合でも、高速再生を行うチャネルに対して予備のタイムスロットをさらに割り当てることができるので、システム全体として操作性の向上が図れる。
【００５１】
【発明の効果】
以上詳細に説明したように、本発明に係るデータ再生装置及び方法によれば、記録されたデータが高速再生で再生されるときに、データ再生手段が、メモリに格納した画像データについて、２フレーム分の画像データから異なる２フィールドを用いて１フレームの画像を生成することにより、間引かれるフレーム数が実質的に減少し、表示するフレーム数を実質的に増加させることが可能となるので、検索性の向上が図られる。
【００５２】
また、本発明に係るデータ再生装置及び方法によれば、高速再生を行う一のデータ再生手段に対して制御信号から複数のタイムスロットが割り当てられ、当該一のデータ再生手段が、割り当てられた複数のタイムスロットを用いて画像データを読み出し、読み出した画像データを一旦記憶し、記憶した画像データについて、２フレーム分の画像データから異なる２フィールドを用いて１フレームの画像を生成することにより、間引かれるフレーム数が実質的に減少し、表示するフレーム数を実質的に増加させることが可能となるので、複数のデータ再生手段を時分割使用するＡＶサーバシステム等において、検索性の向上が図られる。
【図面の簡単な説明】
【図１】本発明を適用したＡＶサーバシステムの構成を示すブロック図である。
【図２】各ＡＶデータ入出力インタフェースのメモリの構成を示す図である。
【図３】チャネル１で高速再生を行う場合について説明するための図である。
【図４】チャネル１で高速再生を行う場合について説明するための図である。
【図５】ＡＶサーバシステムにおいて２倍速再生を行う場合に出力されるデータを説明するための図である。
【図６】ＡＶサーバシステムにおいて４倍速再生を行う場合に出力されるデータを説明するための図である。
【図７】編集装置を用いて高速再生を行う場合の制御の一例について示すフローチャートである。
【図８】フレームを間引いて２倍速再生を行う場合に出力されるデータを説明するための図である。
【図９】フレームを間引いて４倍速再生を行う場合に出力されるデータを説明するための図である。
【符号の説明】
１  ＡＶサーバシステム、２  ディスク装置、３（３ａ，３ｂ・・・３ｎ）  ＡＶデータ入出力インタフェース、４  システムコントローラ、５  プロセッサ、６  メモリ
【図１】
0004131032.tif 000002
【図２】
0004131032.tif 000003
【図３】
0004131032.tif 000004
【図４】
0004131032.tif 000005
【図５】
0004131032.tif 000006
【図６】
0004131032.tif 000007
【図７】
0004131032.tif 000008
【図８】
0004131032.tif 000009
【図９】
0004131032.tif 000010